(57)【要約】【課題】接地タンク内の金属異物を効率的かつ確実に捕捉し、金属異物を無害化して耐電圧性能の低下を防ぐことができるとともに、設置工程の縮小も可能な流体絶縁電気装置を提供すること。【解決手段】絶縁流体が充填された密閉金属容器である接地タンク２を備え、高電圧が印加される導体１を接地タンク２内部に絶縁配置した流体絶縁電気装置において、傾斜部５ｂを形成し、隣接する頭頂部５ａ間に溝ができるようにプレス加工された金属板を接地タンク２と電気的に接続されるように接地タンク２の内壁に固定した。【選択図】        図２
2010193586.tif 000002
【特許請求の範囲】
【請求項１】
接地タンクと、この接地タンク内で絶縁配置された通電導体と、前記接地タンクの下部内面上にて前記接地タンクと電気的に接続して固定された金属異物捕捉用のトラップ部材と、を備えた流体絶縁電気装置において、
前記トラップ部材は、
前記内面に沿って設けられるとともに溝部に隣接した平板状の頭頂部と、
前記頭頂部の一端に連続し前記頭頂部に対して傾斜して、前記頭頂部と合わせた断面が「へ」の字形状をなすとともに、下端部が前記接地タンクの内面に接する傾斜部と、
を有する、
ことを特徴とする流体絶縁電気装置。
【請求項２】
前記トラップ部材は、一枚の金属板から形成されていることを特徴とする請求項１に記載の流体絶縁電気装置。
【請求項３】
接地タンクと、この接地タンク内で絶縁配置された通電導体と、前記接地タンクの下部の内面上にて前記接地タンクと電気的に接続して固定された金属異物捕捉用のトラップ部材と、を備えた流体絶縁電気装置において、
前記トラップ部材は、
前記内面上に配置された一枚の金属板から少なくとも切り起こしによって下方に向けて折り曲げて形成され、その下端部が前記接地タンクの内面に接するとともに、前記接地タンクの中心軸方向に延伸する傾斜部と、
前記傾斜部の上端に連続するとともに切り起こしのされていない前記金属板の一部分であって、その断面と前記傾斜部の断面とを合わせた断面が「へ」の字形状をなすとともに、前記傾斜部の形成に伴って形成された溝部に隣接する頭頂部と、
を有することを特徴とする流体絶縁電気装置。
【請求項４】
前記溝部の幅が、０．２ｍｍ〜４０ｍｍであることを特徴とする請求項１〜３のいずれか１項に記載の流体絶縁電気装置。
【請求項５】
前記溝部の幅が、０．７ｍｍ〜１５ｍｍであることを特徴とする請求項４に記載の流体絶縁電気装置。
【請求項６】
前記トラップ部材は、前記接地タンクの周方向に沿って複数の前記溝部を有することを特徴とする請求項１〜５のいずれか１項に記載の流体絶縁電気装置。
【請求項７】
前記トラップ部材は、前記接地タンクと電気的に接続された箇所を除き、絶縁塗装された前記内面上に配置されていることを特徴とする請求項１〜６のいずれか１項に記載の流体絶縁電気装置。
【請求項８】
前記トラップ部材の前記周方向における端部が、前記接地タンクの内面と接するようにしたことを特徴とする請求項１〜７のいずれか１項に記載の流体絶縁電気装置。
【請求項９】
前記金属異物の最大長さをＷｐ、前記溝部の溝幅をＷｓ、前記頭頂部の幅をＷｒ、前記頭頂部と前記接地タンクの内面との間の距離をＨとしたときに、
Ｗｒ≦Ｗｓ
かつ
Ｗｐ≦Ｈ
の関係が成立するように前記トラップ部材を構成したことを特徴とする請求項１〜８のいずれか１項に記載の流体絶縁電気装置。
【請求項１０】
前記傾斜部の傾斜面の長さをＬ、前記傾斜面の前記頭頂部に対する傾斜角度をθ、前記溝部の溝幅をＷｓとしたときに、
Ｌ＝Ｗｓ／ｃｏｓθ
の関係が成立するように前記トラップ部材を構成したことを特徴とする請求項１〜９のいずれか１項に記載の流体絶縁電気装置。
【請求項１１】
前記頭頂部の前記傾斜部に連続する側と反対側の端部は、下方に折り曲げられ側壁部を形成していることを特徴とする請求項１〜１０のいずれか１項に記載の流体絶縁電気装置。
【請求項１２】
前記傾斜部における前記接地タンクの内面と対向する側の表面、前記頭頂部における前記接地タンクの内面と対向する側の表面にそれぞれ粘着材を塗布するとともに、
前記粘着材が塗布された傾斜面に対向する前記側壁部の表面にも粘着材を塗布したことを特徴とする請求項１１に記載の流体絶縁電気装置。
【請求項１３】
前記傾斜部の傾斜面は曲率を有することを特徴とする請求項１〜１２のいずれか１項に記載の流体絶縁電気装置。
【請求項１４】
前記トラップ部材は、前記金属板をプレス加工して形成されたものであることを特徴とする請求項１〜１３のいずれか１項に記載の流体絶縁電気装置。
【発明の詳細な説明】
【技術分野】
【０００１】
本発明は、ガス、油等の絶縁流体を充填した接地タンク内に通電導体を収容した流体絶縁電気装置に関するものであり、特に接地タンク内における金属粉末などの金属異物を集積し、捕捉するためのトラップ装置に関するものである。
【背景技術】
【０００２】
絶縁媒体をガスとした電気装置の一例であるガス絶縁電気装置は、高電圧が印加される通電導体が金属容器で覆われているものであり、通電導体が金属容器によって外界の影響から保護されているので、信頼性、安全性が高く、環境にもやさしいものである。
【０００３】
ところで上記のようなガス絶縁電気装置の組み立ての過程においては、接地タンク内に金属粉等の金属異物が侵入する可能性がある。このように接地タンク内に金属異物が入った状態で通電導体に高電圧が印加されると、接地タンク内の金属異物は接地タンクと通電導体との間を数Ｈｚの周期で上下運動をする。そのため、この金属異物はガス絶縁電気装置の絶縁上好ましくなく、耐電圧低下を引き起こす要因となる。このような金属異物を収集し、捕捉するための従来技術として以下のようなものがある。
【０００４】
即ち、特許文献１に記載の従来技術においては、絶縁ガスが充填されたパイプ状の金属製密閉容器である接地タンクの中心部に高電圧の電流が流れる導体が絶縁スペーサーによって支持され、接地タンクの内面の下部には互いの傾斜面が重なり合うように、複数の金属材が設けられている。各金属材は、通電導体と対向する側の端部は丸められており、もう一方の端部は接地タンク内面に固着するような形状になっている。
【０００５】
このようなガス絶縁電気装置を設置した後、通常の使用状態において導体と接地タンク間に高電圧が印加されているので、このとき接地タンク内に存在している金属異物は、帯電し、挙動するものの、金属材の表面に接した金属異物は互いに重なり合った傾斜面に沿って、落下し、金属材で囲まれた領域に捕捉され、密閉型ガス絶縁電気装置の耐電圧低下を防止することができる。
【０００６】
【特許文献１】特開昭５４−８６７３７号公報
【発明の開示】
【発明が解決しようとする課題】
【０００７】
従来のガス絶縁電気装置は以上のように構成されているので、以下のような問題点があった。すなわち、接地タンク底面の電界の変歪を少なくするために、金属材における通電導体と対向する側の端部を丸めているが、丸めることによりかえって電界を高くすることになっており、よって電界が変歪しており、金属異物は頭頂部の電界の高いところに到達してしまい、捕捉の妨げとなっている。
【０００８】
本発明は、かかる問題点に鑑みてなされたものであって、接地タンク内の金属異物を効率的かつ確実に捕捉し、金属異物を無害化して耐電圧性能の低下を防ぐことができる流体絶縁電気装置を提供することを目的とする。
【課題を解決するための手段】
【０００９】
上述した課題を解決し、目的を達成するために、本発明に係る流体絶縁電気装置は、接地タンクと、この接地タンク内で絶縁配置された通電導体と、前記接地タンクの下部内面上にて前記接地タンクと電気的に接続して固定された金属異物捕捉用のトラップ部材と、を備えた流体絶縁電気装置において、前記トラップ部材は、前記内面に沿って設けられるとともに溝部に隣接した平板状の頭頂部と、前記頭頂部の一端に連続し前記頭頂部に対して傾斜して、前記頭頂部と合わせた断面が「へ」の字形状をなすとともに、下端部が前記接地タンクの内面に接する傾斜部と、を有することを特徴とする。
【発明の効果】
【００１０】
この発明によれば、頭頂部を平板状としているので、従来のように金属材における通電導体と対向する側の端部を丸めることによって生ずる電界の変歪が低減され、接地タンク内の金属異物を効率的かつ確実に捕捉し、金属異物を無害化して耐電圧性能の低下を防ぐことができるとともに、設置工程の縮小も可能となる、という効果を奏する。
【発明を実施するための最良の形態】
【００１１】
以下に、本発明に係る流体絶縁電気装置の実施の形態を図面に基づいて詳細に説明する。なお、この実施の形態によりこの発明が限定されるものではない。
【００１２】
実施の形態１．
図１は本実施の形態に係る流体絶縁電気装置の内部構成を示す斜視図、図２（ａ）は同じく正面断面図、図３（ａ）はトラップ装置５の斜視図、図４は本実施の形態における金属異物の移動作用を示す正面図、図５は本実施の形態におけるトラップ装置５の溝幅Ｗｓ、頭頂部５ａの幅Ｗｒ、接地タンク２内壁から頭頂部５ａまでの距離Ｈ、及び傾斜面５ｂの長さＬ、及び折り曲げ角度θなどを示す正面図である。
【００１３】
図１において、例えば円筒状の接地タンク２の中心軸上には導体１が延在しており、この導体１は絶縁スペーサー３によって支持されている。接地タンク２は接地された密閉金属容器からなり、内部にはガス又は油等の絶縁媒体が充填されている。絶縁スペーサー３は絶縁性の部材で構成されるとともに、その中心に導体１が挿通された例えばラッパ状の形状をしており、接地タンク２の内壁により支持されている。導体１は、高電圧が印加される通電導体である。
【００１４】
図１および図２（ａ）に示すように、接地タンク２の内面の下部（すなわち、内底面）には複数の溝、頭頂部、及び傾斜面を有する金属板からなるトラップ部材としてのトラップ装置５が配置されている。トラップ装置５は接地タンク２の長手方向（中心軸方向）に対して導体１及び接地タンク２の内面と平行になるように延伸して配置されており、更にその一部が接地タンク２の下方に折り曲げられた金属板から構成されている。すなわち、トラップ装置５には、一枚の金属板から少なくとも切り起こしによって下方に折り曲げられるとともに各下端部が前記内面に接触した複数の傾斜部５ｂと、各傾斜部５ｂの上端部に連続し前記内面に対して概略平行な平板状の基板部としての頭頂部５ａと、各頭頂部５ａにおける傾斜部５ｂに連続する側とは反対側の端部に設けられ下方に折り曲げられた側壁部としての側壁５ｃとが、設けられている。また、トラップ装置５の周方向中央部には、両端部に側壁５ｃが形成された頭頂部５ｄが設けられている。
【００１５】
傾斜部５ｂは、基板としての金属板の一部を少なくともせん断、曲げ加工（切り起こし）して形成され、頭頂部５ａ，５ｄ等を下方から支持する。頭頂部５ａはせん断、曲げ加工（切り起こし）のされていない概ね平板状の基板の一部分である。傾斜部５ｂは、頭頂部５ａに対して折り曲げられ、傾斜面を有する。頭頂部５ａとこの頭頂部５ａに連続する傾斜部５ｂの断面は、概略「への字」形状、又は「への字」を表裏逆にした形状である。また、傾斜部５ｂの形成に伴い、隣接する頭頂部５ａ，５ｄの間には溝が形成されている。あるいは、各溝の両側には各溝を挟むようにして頭頂部５ａ，５ｄが形成され、複数の溝が接地タンク２の周方向に沿って形成されている。各傾斜部５ｂ、各頭頂部５ａ、各側壁５ｃ、及び各溝は、それぞれ導体１の中心軸方向に沿って一方向に延伸している。このトラップ装置５は所定の箇所がねじ止め又は溶接により接地タンク２の内壁に固定されることで接地タンク２と電気的に接続されている。
【００１６】
図２に示すように、トラップ装置５の中央（導体１の延伸方向に垂直な方向における中央）に位置する頭頂部５ｄは、他の頭頂部５ａと異なりその一端部が傾斜部５ｂに連続しておらず、替わりにその両端部に側壁５ｃを有している。この中央に位置する頭頂部５ｄの左側に配置された複数の傾斜部５ｂは傾斜面が相互にほぼ平行である。同様に、この中央に位置する頭頂部５ａの右側に配置された複数の傾斜部５ｂは傾斜面が相互にほぼ平行である。この中央に位置する頭頂部５ｄの左側に配置された傾斜部５ｂと右側に配置された傾斜部５ｂは、傾斜面は相互に平行ではなく、傾斜面は相互に対向して鉛直方向から同角度傾斜し、中央の頭頂部５ａを中心に左右対称に構成されている。
【００１７】
図３（ａ）では、トラップ装置５の斜視図を示している。上述のように、本実施の形態では、トラップ装置５を金属板から形成している。図３（ａ）では、トラップ装置５において、一枚の金属板からせん断、曲げ加工により形成された傾斜部５ｂ及び側壁５ｃと、頭頂部５ａ，５ｄと、隣接する頭頂部５ａ，５ｄ間に形成された溝部である溝５０とが示されている。
【００１８】
図４および図５では、図１、図２（ａ）、及び図３（ａ）に示すトラップ装置５の拡大断面図が示されている。トラップ装置５の溝幅をＷｓ、頭頂部５ａの幅をＷｒ、接地タンク２内壁から頭頂部５ａまでの最短距離をＨ、傾斜部５ｂの傾斜面の長さをＬ、傾斜部５ｂの頭頂部５ａに対する折り曲げ角度をθで示している。側壁５ｃは、頭頂部５ａを形成する平面にほぼ垂直である。また、図４では、金属異物９が金属異物移動方向１０に従って落下することでトラップ装置５に捕捉される様子を示している。即ち、溝に入った金属異物９は傾斜部５ｂにより鉛直方向の運動が水平方向の運動に変換され、更に隣接する傾斜部５ｂの裏面に衝突し、接地タンク２の内面上に到達することとなる。なお、図４、図５では、隣接する傾斜部５ｂは上方からの平面視で互いに重なっていない。
【００１９】
次に、金属異物９の挙動について説明する。金属異物９は接地タンク２内に混入した金属粉等の異物である。導体１に高電圧が印加されると接地タンク２内壁に接触している金属異物９が帯電する。この時、接地タンク２内には強い電界が存在しているので帯電した金属異物９には静電気力が働き、金属異物９は接地タンク２内の空間に浮上する。直流電圧と違い交流電圧の場合、金属異物９は商用電源の周波数に同期した振動をしながら導体１に向かって浮上する。
【００２０】
金属異物９と導体１との距離がある程度近づくと、金属異物９は自ら放電して保有する電荷の一部を失い、浮上の時と同様商用電源の周波数に同期した振動をしながら接地タンク２に向かって落下する。落下した金属異物９は接地タンク２の内壁に触れて再び帯電して空間に浮上する。このような挙動を繰り返し、金属異物９が接地タンク２と導体１との間の空間に存在する確率が高くなると、その空間で閃落し、流体絶縁電気装置の事故につながる可能性がある。
【００２１】
そして流体絶縁電気装置の絶縁耐力に影響を与える金属異物９のうちで、形状が針状のものが最も重大な影響を及ぼすことが判明している。この針状の金属異物９は電圧が印加されて電界が特定の値を超えるとわずかな擾乱によって電界の方向に起立し、浮上する。更にこの針状の金属異物９は導体１に向かって起立した状態で鉛直方向に運動する場合と、金属異物９の長手方向の長さを最大の径とする回転運動を伴いながら鉛直方向に運動する場合とがあり、このような異なった金属異物９の挙動がその捕捉を困難なものとしている。同様に接地タンク２の内壁に対して機械的に反発することも捕捉を困難なものとしている大きな要因となっている。
【００２２】
そこで本実施の形態においては、このような針状の金属異物９の挙動、特に金属異物９の回転挙動を考慮し、トラップ装置５の溝幅Ｗｓを金属異物９の長手方向の長さ以上とする。すなわち、流体絶縁電気装置の接地タンク２内に混入する金属異物９の典型的な大きさについては既知であるので、溝幅Ｗｓを金属異物９の長手方向の長さ以上として図１、図２（ａ）、図３（ａ）、図４、及び図５に示すトラップ装置５を構成することとし、これにより長手方向の長さを最大の径とする回転運動を伴いながら鉛直方向に運動する金属異物９も捕捉することが可能となる。そして、図４に示すように、接地タンク２の内面方向に曲げられた傾斜部５ｂで金属異物の鉛直方向の運動を水平方向の運動に変換することにより、トラップ装置５は接地タンク２の内部において、図６（ａ）に示すような起立した状態で鉛直方向２３に運動する金属異物２１、及び図６（ｂ）に示すように回転しながら（回転方向２４）鉛直方向２３に運動する金属異物２２を容易に効率的に捕えることができるようにしたものである。
【００２３】
更に、側壁５ｃによるシールド効果によって生成された溝内部の極端に低い電界により、金属異物２１，２２が傾斜部５ｂに接した時に電荷の放出が容易で、簡単に運動方向を変換できるものである。
【００２４】
図７は、接地タンク２内に存在する回転金属異物の存在比率（％）と金属異物捕捉効率（％）（縦軸の左）との関係、及び回転金属異物の存在比率（％）と金属異物存在度数（縦軸の右）との関係を示すグラフである。縦軸の右に示す金属異物存在度数とは、接地タンク２内に存在する金属異物の全体存在度数を１としたときの起立及び回転している金属異物の存在度数（確率密度）である。
【００２５】
縦軸の左側にはトラップ装置５による金属異物捕捉効率が示されており、横軸は回転している金属異物の存在比率を示している（回転金属異物の存在比率が０％の時は起立金属異物の存在比率が１００％）。同図中の直線Ｓは起立金属異物の捕捉のみを考慮した従来のトラップ装置を設置した場合の捕捉効率を示しており、起立金属異物しか存在しない場合（回転金属異物の存在比率が０％のとき）は全てを捕捉可能であるが、回転金属異物が増すに連れて捕捉溝には入ることができない金属異物が増し、捕捉効率は０％にまで低下する。
【００２６】
実際の接地タンク２内では金属異物の挙動は極めてわずかな擾乱により変化するので、回転及び起立の挙動を示す金属異物の存在個数は同図中のカーブＴに示すように正規分布を示すと考えられる（この場合Ｔの縦軸スケールは縦軸右側の金属異物存在度数である）。また、このカーブＴに示すように回転金属異物の存在比率が５０％の状態が最も確率的に起こりやすいので、回転金属異物、起立金属異物の存在比は実際両者５０％ほどと考えられる。図７においては、従来のトラップ装置による金属異物捕捉効率を直線Ｓとして説明したが、実際には金属異物捕捉効率は曲線状になる場合も考えられるので、その結果、金属異物捕捉効率は図７の領域Ｕに示すようにおよそ５０％を最大とする値をとることとなる。
【００２７】
このように、接地タンク２内には少なくとも２種類の挙動を示す金属異物が存在することから、本実施の形態のようにその挙動を考慮し、金属異物の最大長さ以上の幅を持つ溝を形成したトラップ装置５を設置することで、図７の直線Ｘのように、金属異物捕捉効率が常に１００％となるように金属異物の捕捉を確実なものとして閃落事故をなくすことが可能となる。例えばガス絶縁開閉装置中の金属異物の大きさは、典型的には、例えば、直径が５０μｍ〜１０００μｍ、長さが０．２ｍｍ〜３０ｍｍであり、本実施の形態に係るトラップ装置の溝幅Ｗｓを、例えば、０．２ｍｍ〜４０ｍｍとすることで、このような金属異物に対する高い捕捉効果が得られる。具体的には、例えば直径が５０μｍ、長さが２０ｍｍの金属異物に対しては、溝幅Ｗｓを例えば２５ｍｍとすることで高い捕捉効果が得られる。さらに、直径が１００μｍ〜５００μｍ、長さが０．７ｍｍ〜１５ｍｍの金属異物に対しては、溝幅Ｗｓを、例えば、０．７ｍｍ〜１５ｍｍとすることで、特に高い捕捉効果が得られる。
【００２８】
本実施の形態によれば、頭頂部５ａを平板状としているので、特許文献１に記載の従来技術のように金属材における通電導体と対向する側の端部を丸めることによって生ずる電界の変歪が低減され、接地タンク内の金属異物を効率的かつ確実に捕捉し、金属異物を無害化して耐電圧性能の低下を防ぐことができるとともに、設置工程の縮小も可能となる、という効果を奏する。
【００２９】
また、本実施の形態によれば、接地タンク２の内底面上に、溝幅Ｗｓが金属異物９の長手方向の長さ以上である溝と頭頂部５ａと傾斜部５ｂとを備えたトラップ装置５を設置するようにしたので、挙動の異なる回転金属異物及び起立金属異物の双方を溝から捕捉して、その運動を鉛直方向から水平方向に変換し、浮上力を得ることができない低電界領域へ導くことで容易に金属異物を無害化できる。このように、金属異物を効率的かつ確実に捕捉可能とすることで、耐電圧性能の低下を防ぐことができる。また、トラップ装置５を一枚の金属板を用いて形成することで、トラップ装置５を接地タンクに取り付けるときの設置工程の少なくなり容易に設置することが可能となる。
【００３０】
また、側壁５ｃを設けることで、接地タンク２の内壁、傾斜部５ｂ、頭頂部５ａ、側壁５ｃにより囲まれる領域におけるシールド効果をより高めることができるので、この領域内部の極端に低い電界により、金属異物が傾斜部５ｂに接したときの電荷の放出が容易となり、簡単に運動方向を変換できる。そのため、金属異物は接地タンク２の内底面に効率的に沈着し、捕捉を確実に行うことができる。なお、側壁５ｃを設けない場合でも同様のシールド効果により捕捉は可能であるが、側壁５ｃを設けた場合の方がより効果的となる。
【００３１】
また、トラップ装置５は、複数の溝が設けられた金属板を内底面を含む接地タンク２の内壁円周の一部または全部に沿って配置することができる。これにより、金属異物の運動方向を変換する溝が複数存在することとなり、金属異物を捕捉する効率が容易に向上する。なお、トラップ装置５は、少なくとも２以上の傾斜部５ｂを設けることで、少なくとも１以上の溝を有することとなる。本実施の形態では、トラップ装置５を１枚の金属板から構成する例について説明したが、このようにすることで複数の溝を容易に加工することができる。
【００３２】
ところで、図１１は特許文献１に記載の密閉型ガス絶縁電気装置の構成を示す図であり、（ａ）は断面図、（ｂ）は微細粉塵捕捉用金属材による微細粉塵の捕捉作動の説明図である。図１１（ａ）において、ガス絶縁電気装置を構成する金属製密閉容器１０１の中心に円筒状の充電部１０２，１０３が配置され、容器１０１の内部には絶縁ガス１０５が封入されている。また、容器１０１内の底部には微細粉塵捕捉用金属材１０６が設置されている。
【００３３】
金属材１０６の形状は、図１１（ｂ）に示すように、充電部１０２，１０３と対向する一端部１０６ａを丸めてあり、他端部１０６ｂを容器１０１の内底面に固着するようにしており、一端と他端間は傾斜面１０６ｃとなっている。そして、各金属材１０６の傾斜面１０６ｃが互いに重なり合うようにしてある。
【００３４】
このような従来のガス絶縁電気装置においては、金属材１０６単体では金属異物Ａを捕らえるための領域を形成することができず、必ず２つ以上の金属材１０６を使用する必要があり、金属材１０６の設置工程が多くなる。これに対して、本実施の形態によれば、トラップ装置５は１枚の金属板から形成することができるので、設置工数は減少し、設置は容易となる。
【００３５】
また、金属材１０６は、互いが重なり合うことで、運動する金属異物の挙動を機械的に押さえ込むようにして、金属異物Ａの捕捉効果を上げているが、そのことにより金属異物を捕捉領域へ導くための入り口が狭くなり、回転を伴う針状の金属異物等は捕らえにくい。これに対して、本実施の形態では、上記のように回転を伴う針状の金属異物等も捕捉することができる。図４、図５に示す例では、溝幅Ｗｓを金属異物９の長手方向の長さ以上に設定したため、傾斜部５ｂは互いに重なりあっていない。
【００３６】
また、図１１では、容器１０１底面の電界の変歪を少なくするために金属材１０６における充電部１０２，１０３と対向する側の端部１０６ａを丸めているが、丸めることによりかえって電界を高くすることになっており、よって電界が変歪しており、金属異物Ａは金属材１０６の頭頂部の電界の高いところに到達してしまい、捕捉の妨げとなっている。これに対して、本実施の形態では、図４、図５の例に示すように、側壁５ｃを頭頂部５ａに対してほぼ垂直とすることで端部１０６ａのように丸めることで生ずる電界の変歪を防ぐことが可能である。
【００３７】
実施の形態２．
本実施形態においては、トラップ装置５の製造方法として一枚の金属板に対してプレス加工を施すようにしたものである。即ちプレス加工によるせん断、曲げ加工を採用することによって、複雑な断面を持つ形状に於いても容易に成型でき、かつ製作工程時間を短縮させるとともに、低コストで製作することができる。また、寸法の長いトラップ装置を製作しやすくなり、接地タンク２を広範囲に亘って設置することが可能となるため、金属異物の捕捉率を高めることができる。
【００３８】
更に薄い金属板をプレス加工することにより製作できるので、重量が軽く取り扱い易くなる。そして寸法の長い接地タンク２に設置する場合にも重量が軽いので人手を要せず、既存の接地タンク２にも容易に取り付けることができるようになる。更に金属異物による閃落事故を減らすことができ、また取り外しが容易であるので捕捉した金属異物を容易に採取できるようになり、その後の流体絶縁電気装置（例えば、ガス絶縁電気装置）の検査もし易くなる。
【００３９】
また、プレス加工によれば、プレス加工によるせん断、曲げ加工を採用することにより側壁５ｃと傾斜部５ｂを複数同時に形成することができる。なお、図５において、傾斜部５ｂの長さＬと溝幅Ｗｓに対して、傾斜部５ｂの長さＬを溝幅Ｗｓよりも長くしているが、これは金属板から傾斜部５ｂをせん断し、曲げ加工を施すと同時に、伸ばしているからである。
【００４０】
更に側壁５ｃをもたせない場合と比較すると、側壁５ｃを設けた場合、そのシールド効果によって溝内部に極端に低い電界を形成することができ、溝底面の電界を低くすることができるので、捕捉効率を高めることが容易である。図８は側壁５ｃを設けたことによる溝底面の電界抑制効果を示したグラフであり、側壁５ｃを持たせた場合の溝底面の電界を、側壁５ｃがない場合と比較したものである。なお、図８はトラップ装置５の側壁５ｃの長さが溝の深さの１／３の場合の電界解析結果を示す。縦軸は側壁５ｃを設けた場合と側壁５ｃを設けない場合との溝底面の電界の比（側壁５ｃ有り／側壁５ｃ無し）であり、横軸は捕捉する金属異物の長さに対する溝の深さＨの比である。図８では、一例として、溝の深さＨが金属異物の長さ（長手方向の長さ）と等しい場合に対する電界抑制効果を示している。側壁５ｃによる溝底面の電界抑制効果が１の場合は、側壁５ｃの効果がないことを意味し、１より大きくなるに伴い電界抑制効果も大きくなる。本電解解析結果では、約２．３の電界抑制効果が得られた。すなわち、側壁５ｃを設けることにより電界抑制効果が向上することがわかる。なお、図５において溝の深さＨを示している。更に、側壁５ｃは金属異物が再び溝の外に出ないように疎外する壁の役割も果たす。
【００４１】
金属異物の接地タンク２から受ける反発力により捕捉が困難になる場合があり、従来では溝の深さを捕捉される金属異物の長さと同程度にすると捕捉することは難しく、金属異物の長さ以上の深さにする必要がある。これに対して本実施の形態では、傾斜部５ｂを設けたことと、図８に示すように溝の深さをそれほど深くしなくても側壁５ｃを設けることにより溝底面の電界を小さくすることができることから、溝の深さＨを金属異物の長さと同程度にすることが可能である。
【００４２】
なお、側壁５ｃの長さはプレス加工技術により溝幅によらずある程度自由に制御できる。側壁５ｃはプレス加工のせん断、曲げ加工により容易に形成可能であり、図５及び図８に示すように、側壁５ｃの長さが溝の深さＨの１／３程度あれば側壁５ｃを設けることによる効果は大きい。よって、側壁５ｃの長さは溝の深さＨと同等にする必要はない。
【００４３】
実施の形態３．
図９は、本実施の形態に係る流体絶縁電気装置において、絶縁性塗料１１の施された接地タンク２上にトラップ装置５を設置した図である。また、図２（ｂ）は本実施の形態の正面断面図、図３（ｂ）はトラップ装置５の斜視図である。本実施の形態においては、実施の形態１の構成に加えて、トラップ装置５が、内面に絶縁性塗料１１を施された接地タンク２に設置されるようにしたものである。ただし、トラップ装置５と接地タンク２とを電気的に接続する箇所は当然ながら絶縁塗装されていないものとする。また、トラップ装置５の両端（溝の延伸方向に垂直な方向における両端部、あるいは周方向の両端）に位置する頭頂部５ａにおいては、この頭頂部５ａの端部に側壁５ｃが形成されておらず、したがって、頭頂部５ａにおける傾斜部５ｂに連続する側とは反対側の端部と接地タンク２の内壁との間には溝が形成されていない。
【００４４】
本来、絶縁塗装された接地タンク２の内面において挙動している金属異物は、接地タンク２との間で電荷の授受が困難なため容易には挙動が収まることがない。しかし本実施の形態においては、上記のように構成することにより、接地タンク２と電気的に接続されているトラップ装置５において金属異物は電荷を失い、溝に入った金属異物は傾斜部５ｂにより鉛直方向の運動が水平方向の運動に変換されて、傾斜部５ｂの裏面に衝突し、絶縁性塗料１１が施された接地タンク２の内面にたどり着く。そしてこの内面はトラップ装置５により電界は遮蔽されており金属異物が浮上力を得るような電界は形成されていない。更には、内面は絶縁塗装されているので、接地タンク２からも電荷を供給されることはなく、金属異物は二度と浮上することができない。
【００４５】
また、トラップ装置５の端部１５（溝の延伸方向に垂直な方向における端部、あるいは周方向における端部）を絶縁性塗料１１が施された接地タンク２の内壁と接するようにした構造にすることで、接地タンク２内に存在する金属異物の初期の存在位置をできるだけ、絶縁塗装されていない、トラップ装置５の表面に来るようにするものである。そうすることにより、低い電界のうちに金属異物を挙動させて素早くトラップ装置５の溝内部に導くことができ、確実に金属異物を捕捉可能となる。
【００４６】
ところで、従来から広く採用されているガス絶縁電気装置の内壁は絶縁性塗料１１により塗装されているものが多く、本実施の形態のトラップ装置５を付加することで、特別な変更を施すことなく、信頼性の高いガス絶縁電気装置にすることが可能である。また、接地タンク２内壁に絶縁性塗料１１の塗装とトラップ装置５の設置を施すことにより耐絶縁性能が向上するので、従来のガス絶縁電気装置よりも小型化が可能であり、全体的に低コストなガス絶縁電気装置を製造することが可能となる。
【００４７】
実施の形態４．
本実施の形態においては、金属異物２１，２２を捕捉するための、頭頂部５ａの幅Ｗｒ、隣接する頭頂部５ａ間の幅Ｗｓ（すなわち、溝幅）、傾斜部５ｂの傾斜面の長さＬ、折り曲げ角度θ（傾斜部５ｂの頭頂部５ａに対する傾斜角度）、溝の深さＨ（すなわち、頭頂部５ａにおける接地タンク２の内面と対向する側の表面から接地タンク２の内面までの最短距離Ｈ）をそれぞれ具体的にどのような値に設定するかを規定した例について説明する（図５参照）。以下では、接地タンク２内に存在する金属異物２１，２２の最大長さをＷｐとする。
【００４８】
本実施の形態では、トラップ装置５は、実施の形態１で設定した条件：Ｗｐ≦Ｗｓに加えて、Ｗｒ≦ＷｓかつＷｐ≦Ｈの関係を保つように設計することとする。
【００４９】
接地タンク２内の金属異物２１，２２は導体１に印加された電圧により帯電し、鉛直方向に運動を始める。そのとき導体１と接地タンク２との間にトラップ装置５が存在するとトラップ装置５の表面上で金属異物２１，２２は数Ｈｚで鉛直運動をする。このとき、トラップ装置５の溝と頭頂部５ａの幅が同じであれば、鉛直運動する金属異物２１，２２が両者に接触する確率は同等である。よって、金属異物２１，２２が溝に入る確率を向上させるには、頭頂部５ａの幅Ｗｒを溝幅Ｗｓ以下とする必要がある：Ｗｒ≦Ｗｓ。また、金属異物２１，２２の運動は常に鉛直方向とは限らず、時には回転する。このような運動をする金属異物２１，２２を捕らえるには、溝幅Ｗｓと金属異物２１，２２の最大長Ｗｐに対して、Ｗｐ≦Ｗｓとする必要がある。また、深さＨは、金属異物２１，２２がトラップ装置５の溝の内部で鉛直に起立した場合にトラップ装置５の表面からその先端が飛び出すと、その先端の電界が高くなり、浮上力を得てしまうので、少なくとも金属異物２１，２２の最大長さよりも大きくとる必要がある：Ｗｐ≦Ｈ。
【００５０】
また、本実施の形態では、傾斜部５ｂの長さＬは、Ｌ＝Ｗｓ／ｃｏｓθを保つように設計する。
【００５１】
特に起立した状態で鉛直方向に挙動している金属異物２１，２２は頭頂部５ａのような平坦な部分に衝突すると、鉛直方向におけるトラップ装置５と反対側、すなわち導体１に向かって飛翔していくので、溝の底面は平坦にしないことが好ましい。よって、トラップ装置５を上からみた場合に平坦な部分が見えないように、傾斜部５ｂは溝の端部まで延長することが好ましい：Ｌ＝Ｗｓ／ｃｏｓθ。
【００５２】
このようにして、接地タンク２内に存在する金属異物２１，２２の最大長さＷｐを基準として、溝幅Ｗｓ、頭頂部５ａの幅Ｗｒ、トラップ装置４ａの溝の深さＨについての好適な関係が決定される。
【００５３】
以上説明したように、金属板の頭頂部５ａの幅Ｗｒよりも溝幅Ｗｓを広くすることで、金属異物２１，２２が溝に入る確率を向上させることができる。更に、溝の深さＨを金属異物の最大長さＷｐ以上にすることで、鉛直に落下してきた金属異物２１，２２を低電界領域まで落としこむことができ、捕捉する効率を向上させることができる。
【００５４】
また、金属板の頭頂部５ａと傾斜部５ｂとがトラップ装置５を上部から観た場合に、投影的につながるようにすることで、落下してきた金属異物２１，２２が直接接地タンク２の内面に衝突して、導体１方向に跳ね返ることを防ぐことができ、トラップ装置５による金属異物２１，２２の捕捉効率を低下させることがない。
【００５５】
実施の形態５．
本実施形態は、トラップ装置５の裏面に粘着材（図示せず）を塗布したものである。具体的には、傾斜部５ｂ、頭頂部５ａの接地タンク２内面と対向する側の表面（裏面と呼称する。）、傾斜部５ｂの裏面に対向する側壁５ｃの表面（裏面と呼称する。）に粘着材を塗布したものである。すなわち、トラップ装置５の裏面とは、トラップ装置５のトラップ領域側の表面を意味する。
【００５６】
接地タンク２内面の電界が非常に高い場合に、トラップ装置５に捕らえられていなかった金属異物２１，２２が挙動をはじめると、その電界に比例して、金属異物２１，２２の挙動の速度が非常に大きくなる。そうなった場合に、一度トラップ装置５の溝の内部に入った金属異物２１，２２は、それが持っている大きな速度のために、機械的な反発力が大きくなり、溝から再び接地タンク２内へ出て行く可能性がある。
【００５７】
しかしながら、本実施の形態のようにトラップ装置５の裏面にのみ粘着材を塗布しておけば、傾斜部５ｂにて水平方向に運動が変換されて、傾斜部５ｂの裏側に衝突すると塗布された粘着材により、大きな運動量が吸収され、挙動を抑制可能となる。
【００５８】
このような構成により、トラップ装置５の中から再び出てくるような速度を持った金属異物２１，２２に対して、トラップ装置５の裏面に粘着材を塗布しておくことにより、金属異物２１，２２の運動量を粘着材に吸収させて、その付着力により捕捉することが可能となる。
【００５９】
また粘着材により反発力による跳ね返りをなくすことができるので、トラップ装置５の高さＨ（すなわち、溝の深さＨ）を小さく構成することができ、導体１と接地タンク２との距離が小さい流体絶縁開閉装置に対して、本実施の形態によるトラップ装置５を設置することができる。
【００６０】
更に、たとえ粘着材が長年の経年劣化によりその効果を失ったとしても、側壁面で囲まれた領域（つまり、傾斜部５ｂ、頭頂部５ａ、及び側壁５ｃ）の電界が低い溝の中に金属異物２１，２２が存在することになるので、再び溝の外へ浮上するような力を得ることができない。
【００６１】
実施の形態６．
図２においては、トラップ装置５の傾斜部５ｂの傾斜面は平面状（正面図では直線状）であったが、その部位に曲率を付与することもできる。図１０は、本実施の形態におけるトラップ装置５の断面図、図３（ｃ）は、本実施の形態におけるトラップ装置５の斜視図である。
【００６２】
図１０、図３（ｃ）に示すように、本実施の形態では、プレス加工して得られるトラップ装置５に於いて頭頂部５ａの形状は実施の形態１と変わらないが、傾斜部５ｂの傾斜面に曲率を付与することとする。
【００６３】
本実施の形態では、傾斜部５ｂが円弧の一部であるように曲率を持っているので、浮上した金属異物２１，２２が落下してきて溝を通り抜けた場合、曲面である傾斜部５ｂに沿って落下する。そのため、鉛直方向に落下してきた金属異物２１，２２の運動を水平方向に変換する効率が増し、確実に金属異物２１，２２を、再び浮上ができない低電界部、すなわちトラップ装置５と接地タンク２との間に形成される領域に導くことができる。
【００６４】
本実施の形態によれば、トラップ装置５の傾斜部５ｂの傾斜面に曲率を持たせたことで、金属異物２１，２２を低電界領域に容易に導くことができる。従って、実施の形態１と同様に、絶縁耐力の優れたガス絶縁電気機器を安価かつ容易に構成することができる。特に、トラップ装置５を装備していない従来のガス絶縁装置に対してその基本的構造を何ら変更しなくとも、トラップ装置５を付加するだけで本実施の形態を構成できるのでその製造はより一層容易かつ低コストなものとなる。
【００６５】
また、トラップ装置５を装備することによる接地タンク２の寸法増大はないため、コンパクトなガス絶縁電気装置を構成できる。
【産業上の利用可能性】
【００６６】
本発明は、ガス絶縁電気装置などの流体絶縁電気装置に好適に適用することができる。
【図面の簡単な説明】
【００６７】
【図１】実施の形態１に係る流体絶縁電気装置の内部構成を示す斜視図である。
【図２】流体絶縁電気装置の正面断面図である。
【図３】トラップ装置の斜視図である。
【図４】実施の形態１における金属異物の移動作用等を示す正面図である。
【図５】実施の形態１における溝幅、トラップ装置の高さ等を示す正面図である。
【図６】金属異物の挙動を示すための図である。
【図７】金属異物の捕捉効率と金属異物の存在比率との関係を示したグラフである。
【図８】側壁を設けたことによる溝底面の電界抑制効果を示したグラフである。
【図９】実施の形態３に係る流体絶縁電気装置において、絶縁性塗装の施された接地タンク上にトラップ装置を設置した図である。
【図１０】実施の形態５におけるトラップ装置の正面図である。
【図１１】特許文献１に記載の従来の密閉型ガス絶縁電気装置の構成を示した図である。
【符号の説明】
【００６８】
１  導体
２  接地タンク
３  絶縁スペーサー
５  トラップ装置
５ａ  頭頂部
５ｂ  傾斜部
５ｃ  側壁
９，２１，２２  金属異物
１０  金属異物移動方向
１１  絶縁性塗料
１５  端部
２３  鉛直方向
２４  回転方向
５０  溝
１０１  密閉容器
１０２，１０３  充電部
１０５  絶縁ガス
１０６  金属材
１０６ａ  一端部
１０６ｂ  他端部
１０６ｃ  傾斜面
【図１】
2010193586.tif 000003
【図２】
2010193586.tif 000004
【図３】
2010193586.tif 000005
【図４】
2010193586.tif 000006
【図５】
2010193586.tif 000007
【図６】
2010193586.tif 000008
【図７】
2010193586.tif 000009
【図８】
2010193586.tif 000010
【図９】
2010193586.tif 000011
【図１０】
2010193586.tif 000012
【図１１】
2010193586.tif 000013